(57)【要約】【解決課題】ペット動物の飼育に必要な各種資材を載せたり、収納したことができると共に、ペット動物が飼育用ゲージに自由に出入りして、ペット動物が運動不足となるのを防止し、さらに飼育用ゲージ内のペット動物の様子を外部から良好に観察できるペット動物の飼育用ゲージを提供することである。【解決手段】ペット動物の飼育用ゲージ１は、ゲージ本体２の下部に収納部５ａを有する基台５を設けるとともに、ゲージ本体２のペット動物の出入り口２ｃの側に基台５の天板を突出させた台板を形成してなる。【選択図】図１
2004215555.tif 000002
【特許請求の範囲】
【請求項１】
ペット動物飼育用のゲージ本体の下部に収納部を有する基台が設けられ、この基台のゲージ本体の出入り口が設けられている側の天板が前方へ突出せられて台板となされたことを特徴とするペット動物の飼育用ゲージ。
【請求項２】
ゲージ本体の出入り口から前方に突出してなる基台の台板が階段状に設けられている請求項１に記載されたペット動物の飼育用ゲージ。
【請求項３】
基台が、ゲージ本体とは別体に形成されている請求項１又は２に記載されたペット動物の飼育用ゲージ。
【発明の詳細な説明】
【０００１】
【発明の属する技術分野】
本発明は、ペット動物飼育用のゲージ本体の下部に収納部を有する基台が設けられているペット動物の飼育用ゲージに関するものである。
【０００２】
【従来の技術】
従来、犬、ねこ、うさぎ、にわとり、リス、モルモットなどのペット動物の飼育用ゲージは、その周囲が空気抜き用の貫通穴を伴うプラスチック材や木板、網板などで囲う形態で形成されている。このように従来のペット動物の飼育用ゲージには、収納部が設けられていない。
【０００３】
したがって、ペット動物の飼育のための飼料などの資材については別のところに設けて収納し保管されることになる。また、犬、ねこ、うさぎなどのペット動物が放し飼いされているときは、その意思によりの飼育用ゲージに出入りできるようにするとよい。この場合に、飼育用ゲージの前面位置などにはペット動物の出入り口が設けられ、ペット動物が飼育用ゲージ内に自由に出入りできる。また、出入り口には扉部が設けられていることもある。また、ペット動物の飼育用ゲージには、ゲージ内を常に清潔に維持するために、その底部に取り替え用シートなどを敷いておくおための受け皿が引出しできるように設けられていることもある。また、ゲージ本体の内部を外部からの観察するためや、ペット動物に運動させることも必要となることもある。
【０００４】
【発明が解決しようとする課題】
しかしながら、飼育用ゲージは、一般的に飼料などの収納部は存在しないのが普通である。ペット動物が犬、ねこ、うさぎなどのように放し飼いされている場合、ペット動物の飼育用ゲージが高いところに設置されていると、ペット動物は容易に飼育用ゲージに戻ることが難しいため、適当な高さ位置に置くことが望ましい。
【０００５】
飼育用ゲージには、ペット用動物ための飼料など与えるために、飼料などを一時載せておく台板が設けられていると便利である。また、ペット動物が放し飼いにされている場合、ペット動物の行動範囲が飼育用ゲージの周囲に限られると、ペット動物が運動不足になり易いという欠点がある。
【０００６】
そこで、本発明は飼育用ゲージの下部にペット動物の飼育に必要な各種資材を収納することのできる収納部を有する基台を設けると共に、この基台に台板を設けてペット動物が台板から飼育用ゲージに自由に出入りして、ペット動物が運動不足となるのを防止し、さらに飼育用ゲージ内のペット動物の様子を外部から良好に観察できるペット動物の飼育用ゲージを提供することを目的とした。
【０００７】
【発明が解決しようとする手段】
上記した目的を達成するため、本発明のペット動物の飼育用ゲージは、ペット動物飼育用のゲージ本体の下部に収納部を有する基台が設けられ、この基台のゲージ本体の出入り口が設けられている側の天板が前方へ突出せられて台板となされたことを特徴とする。
【０００８】
上記した本発明のペット動物飼育用のゲージの本体は、その下部に収納部を有する基台が設けられているから、この収納部にペット動物の飼育に必要な各種資材を収納し保管しておくことができる。
【０００９】
本発明のペット動物の飼育用ゲージは、そのゲージ本体の下部に設けた基台の天板が前方に突出して台板となされている。基台の形成は、木板などの板材を用いて必要な空間の収納部や、必要な高さを確保した箱状に形成される。もちろん、プラスチック板などで一体的に形成されてもよい。
【００１０】
その天板がゲージ本体から突出して設けられた台板ついては、飼料などの資材を一時載せておくのにも利用することができる。
【００１１】
基台については、ゲージ本体と一体的に形成されていてもよく、あるいはゲージ本体と別体に形成されていてもよい。この別体に形成した基台をゲージ本体の下部に必要に応じて着脱できるようにしていてもよい。ペット動物の観察や運動に必要な高さ調整を確保するために、複数の基台を必要に応じて積み重ねて設けてもよい。
【００１２】
このように別体とした基台は階段状の天板を設けておくとよい。この階段は、例えば、犬であると昇降に際して運動を行うことになる。
【００１３】
基台の収納部は、引出しをはめ込んだり、扉を設けて構成している。この収納部にゲージ本体で飼育しているペット動物の飼料、おむつ類、底部への敷紙類などの各種の資材を収納しておくことができる。このようにゲージ本体に隣接して設けられた収納部に各種の資材を収納しておくと、各種の資材を確実に収納しておくことができると共に、収納部から資材を取り出して即座に使用することができるので、極めて便利である。
【００１４】
【発明の実施の形態】
本発明に係るペット動物の飼育用ゲージの一実施の形態を図に基づいて説明する。ペット動物の飼育用ゲージ１は、図１に示すように、ペット動物飼育用のゲージ本体２と、ゲージ本体２の下部に設けられた基台５とからなる。
【００１５】
ゲージ本体２は、例えば、天板２ａ及び底部２ｅと、プラスチック製側板２ｂとで周囲が囲まれて形成されている。ゲージ本体２では、その周囲が側板２ｂなどで囲われていることにより、ペット動物を良好な状態で飼育することが可能となる。
【００１６】
側板２ｂには、ゲージ本体２の前部に出入り口２ｃが設けられている。また、出入り口２ｃには扉部３が配設されている。扉部３が開放されていると、出入り口２ｃから、ゲージ本体２の内部に配置されている飼料などを求めて、ペット動物が自由にゲージ本体２に出入りすることができる。側板２ｂには、多数の空気抜き用の貫通穴２ｄが設けられている。ペット動物の飼い主は、出入り口２ｃや貫通穴２ｄからペット動物の姿態や様子を観察することができる。
【００１７】
ゲージ本体２の底部には受け皿４が設けられている。受け皿４は、引出し式となっており、その取手４ａを前方に引き受け皿４を引き出すことができる。受け皿４の内部には敷紙を新たに敷設し、又は古い敷紙を新たな敷紙と交換することができる。受け皿４の敷紙は飼育中のペット動物の汚物等を受けて排除できるとともに、ペット動物が汚物等で汚染されるのを防止するためのものである。したがって、敷紙を設けることにより、ゲージ本体２の内部を常に清潔を保つことができる。また、図示はしていないが、ゲージ本体２の内部にはその内部に餌器や給水器などが配設される。なお、ゲージ本体２は図示のものに限らず、金属線材からなる側板で箱形に形成したものであってもよい。
【００１８】
ペット動物の飼育用ゲージ１には、ゲージ本体２の下部に収納部を有する箱状の基台５が設けられている。図１に示すように、基台５の天板２ａはゲージ本体２の出入り口２ｃの側が前方に突出して台板５ｄとなされている。基台５の台板５ｄは、図１では２段の階段状に設けられているが、ペット動物に必要な運動量を確保する必要や、高さ調整などの理由から、この基台５の台板５ｄが２段以上階段状に設けられていてもよい。この階段状に設けた台板５ｄは、各種の資材を載せるのに利用することができる。
【００１９】
基台５についてはゲージ本体２と一体に形成してもよいが、ゲージ本体２とは別体に形成されていてもよい。
【００２０】
基台５の収納部５ａには、引出し５ｅが設けられている。引出し５ｅは、その内部にペット動物の飼育に必要な飼料、敷紙、おむつ類などの飼育に必要な資材を収納しておくことができる。５ｂは引出し５ｅの取手である。
【００２１】
引出し５ｅは前後に出し入れができ、内部に資材を保管しておくことができる。また、必要に応じて資材を引出し５ｅから取り出してゲージ本体２や飼育するペット動物に利用することができる。すなわち、飼料などの資材をゲージ本体２の内部に保管することができ、またおむつ類についても、収納部５ａから取り出して飼育しているペット動物に適用できる。また、ゲージ本体２の内部を常に清潔に保つために収納部５ａに保管していた新たな敷紙を受け皿４に敷くなど新たな敷紙と交換することができる。なお、図示していないが、収納部５ａの前部に扉を設けていてもよい。この場合、引出し５ｅは用いない。
【００２２】
基台５をゲージ本体２の下部に設けることにより、ゲージ本体２を床面より高いところに設置することができる。このようにゲージ本体２をより高く設置することが可能であるから、ゲージ本体２の内部で飼育するペット動物をより見易い状態で観察することが可能となる。また、ペット動物は常に階段部５を昇り降りしてゲージ本体２の出入り口２ｃから出入りすることになるから、ペット動物は必要な運動量を常に確保することができる。
【００２３】
【発明の効果】
上述したように本発明のペット動物の飼育用ゲージは構成されるから、次のような効果が発揮される。すなわち、ゲージ本体の下部位置に収納部を有する基台を設けることにより、ゲージ本体を床面より高いところに設置することができるとともに、ゲージ本体に必要な空間の収納部を設けることができる。ゲージ本体を高いところに設置することにより、飼育しているペット動物の様子をよりよく観察することができるとともに、飼育中のペット動物は基台を昇り降りしてゲージ本体を出入りすることが必要となるから、その基台を登り降りする過程で必要な運動量を常に確保することができる。
【００２４】
基台の天板を前方に突出させ、その突出して形成した台板に各種の資材を載せて利用することができる。また、基台の収納部を設けることにより、収納部内にペット動物の飼育などの資材をゲージ本体と隣接した位置に確実に収納しておくことができるから、該当する資材を収納部内から取り出して即座に利用することができる。
【図面の簡単な説明】
【図１】本発明に係る一実施形態を示すペット動物の飼育用ゲージの斜視図である。
【図２】図１に示すペット動物の飼育用ゲージの側面図である。
【符号の説明】
１  ペット動物の飼育用ゲージ
２  ゲージ本体
２ａ  天板
２ｂ  側板
２ｃ  出入り口
２ｄ  貫通穴
２ｅ  底部
３  扉部
４  受け皿
４ａ  取手
５  基台
５ａ  収納部
５ｂ  取手
５ｄ  台板
５ｅ  引出し
【図１】
2004215555.tif 000003
【図２】
2004215555.tif 000004